(57)【要約】 【課題】  通話中に録音した時間制限のない複数の録音を、人手によって選択することなく、通話中に再生して相手に送信することができる電話装置を提供する。【解決手段】  相手方電話機と回線が接続されると、制御装置１１は、すでに録音されている録音件数ｎを記憶する。制御装置１１は、録音中でない場合に入力装置１６から録音ボタン１６１が操作されたことを示す情報を受け取ると、録音再生装置１４に録音を指示する。録音再生装置１４は、通話情報を録音し、録音件数ｎを更新する。制御装置１１は、入力装置１６から再生ボタン１６２が操作されたことを示す情報を受け取ると、音声記憶装置１５に記憶されている録音のうち、「ｎ＋１」件目の録音から再生するように、録音再生装置１４に指示する。録音再生装置１４は、「ｎ＋１」件目の録音から最後の録音まで再生する。【選択図】      図１
2007318570.tif 000002
【特許請求の範囲】
【請求項１】
相手方電話装置との通話情報を録音する録音手段と、
録音手段によって録音された通話情報を再生する再生手段と、
通話の録音を指示するための録音指示情報、録音の停止を指示するための停止指示情報、および通話情報の再生を指示するための再生指示情報を入力する入力手段と、
相手方電話装置に通話情報を送信する送信手段と、
通話情報を音に変換して出力する出力手段と、
制御手段であって、
相手方電話装置と回線が接続されてから回線が切断されるまでの通話期間に、入力手段によって録音指示情報が入力されてから停止指示情報が入力されるまでの期間毎の通話情報を録音手段によって録音させ、
前記通話期間に入力手段によって再生指示情報が入力されたとき、録音手段によって録音された通話情報のうち予め定める再生条件に合致する通話情報を再生手段によって再生させ、再生手段によって再生された通話情報を、送信手段によって相手方電話装置に送信させるとともに出力手段によって出力させる制御手段とを含むことを特徴とする電話装置。
【請求項２】
前記予め定める再生条件は、前記入力手段によって再生指示情報が入力された通話期間の中で、その再生指示情報が入力されたときまでに前記録音手段によって録音された通話情報であるという条件であることを特徴とする請求項１に記載の電話装置。
【請求項３】
前記予め定める再生条件は、前記入力手段によって再生指示情報が入力された通話期間の中で、その再生指示情報が入力されたときまでに前記録音手段によって録音された通話情報がない場合は、その通話期間よりも前に録音手段によって録音された通話情報であるという条件であることを特徴とする請求項２に記載の電話装置。
【請求項４】
相手方電話装置を識別するための相手方識別情報を、前記録音手段によって録音された通話情報と関連付けて記憶する記憶手段をさらに含み、
前記制御手段は、相手方電話装置と回線が接続されてから回線が切断されるまでの通話期間に、前記入力手段によって録音指示情報が入力されてから停止指示情報が入力されるまでの期間毎の通話情報を録音手段によって録音させる際、その相手方電話装置の相手方識別情報をその通話情報と関連付けて記憶手段によって記憶させ、
前記予め定める再生条件は、記憶手段に記憶された相手方識別情報のうち回線が接続されている相手方電話装置の相手方識別情報と同じ相手方識別情報に関連付けられた通話情報であるという条件であることを特徴とする請求項１に記載の電話装置。
【請求項５】
前記相手方識別情報は、相手方電話装置の電話番号であることを特徴とする請求項４に記載の電話装置。
【発明の詳細な説明】
【技術分野】
【０００１】
本発明は、録音および再生機能を備えた電話装置に関する。
【背景技術】
【０００２】
電話装置たとえば電話機は、通話を録音するための録音再生機能を備えたものがある。たとえば第１の従来の技術として、通信装置がある。この通信装置は、発呼時に入力された電話番号を番号記憶部に記憶し、通話録音時に、番号記憶部に記憶した電話番号と通話内容とを対にしてデータ記憶部に記憶する。その後、通話内容再生時に、データ記憶部に記憶される電話番号を表示し、表示した電話番号の中から使用者によって選択された電話番号に対応する通話内容をスピーカから出力するものである。発呼後に通話録音を行った場合でも、再生したい通話内容を容易に検索可能である（たとえば特許文献１参照）。
【０００３】
第２の従来の技術として、電話機がある。この電話機は、使用者によって入力された検索条件、たとえば日付、時間、通話先の電話番号、あるいは録音の種別などの検索条件に合致する録音メッセージを録音履歴から検索し、検索条件に合致した録音メッセージのリストを表示する。検索条件で絞り込まれた検索結果のリストの中から使用者が録音メッセージを選択することができるので、希望する録音メッセージを直ぐに判別して再生することができる（たとえば特許文献２参照）。
【０００４】
第３の従来の技術として、録再機能付電話機がある。この録再機能付電話機は、現在から所定時間前までの通話内容を更新記録する固体メモリ記録回路を有し、回線接続から固体メモリ記録回路への記録を開始し、操作手段の操作によって、固体メモリ記録回路に記憶された通話内容を読み出して回線に送出するものである。操作時点から所定時間だけ過去に行なわれた通話内容を再生して相手に送出することができ、いたずら電話の撃退に効果的である（たとえば特許文献３参照）。
【０００５】
第４の従来の技術として、音声メモ機能を備えた電話機がある。この電話機は、音声信号を現時点から所定時間前の時点までにわたり蓄積する蓄積手段を有し、録音スイッチがオンとされると、蓄積手段の音声信号を音声メモリに記憶保存する。オンフック状態で再生スイッチがオンとされると、音声メモリに記憶された音声信号を読み出して再生し、スピーカまたは受話器でその内容を聴くものである。録音しておきたいと判断される重要部分の会話のみを吟味して複数録音することができる（たとえば特許文献４参照）。
【０００６】
第５の従来の技術として、通話中録音機能を有する電話機がある。この電話機は、過去所定時間の通話内容を保存する音声メモリを有し、録音ストップスイッチが押されると、音声メモリへの上書きが停止し、録音ストップスイッチが押下された時点より、過去所定時間の通話内容が保存される。再生スタートスイッチが押下されると、音声メモリに保存された通話内容が再生される。重要な用件を相手に言い直してもらわなくてもよく、自然な会話の中での録音を可能にしたものである（たとえば特許文献５参照）。
【０００７】
第６の従来の技術として、電話機がある。この電話機は、着信時にフックスイッチがオフになると、第１メモリへの音声信号の録音を開始し、８秒間分の音声信号を録音する。さらに録音キーが押下されると、第２メモリへ音声信号の録音を開始し、停止キーが押下されるまで録音を行う。録音キーによる第２メモリへの録音は、複数行うことができる。非通信時に再生キーが押下されると、第１メモリおよび第２メモリに録音された音声信号が順次再生される。着信時のハンドセットの持ち上げに応答して通話内容の録音が自動的に開始される（たとえば特許文献６参照）。
【０００８】
【特許文献１】特開２０００−３４１３９０号公報
【特許文献２】特開２００１−３３３１７９号公報
【特許文献３】特開平１−２２６２５９号公報
【特許文献４】特開昭６３−７４３６５号公報
【特許文献５】特開平５−１０３１１７号公報
【特許文献６】実公平７−４１２４６号公報
【発明の開示】
【発明が解決しようとする課題】
【０００９】
第１の従来の技術は、使用者によって選択された録音を再生するものであり、第２の従来の技術は、使用者が入力した検索条件に合致する録音メッセージを録音履歴から検索して表示し、その中からさらに再生する録音を使用者に選択させて再生するものである。いずれの従来の技術も、通話中に再生して相手に聞かせるものではなく、使用者による選択操作が必要であるという問題がある。
【００１０】
第３の従来の技術〜第５の従来の技術は、操作手段によって指示された時点よりも過去の所定時間の通話を録音して、再生することができるようにしたものであるが、第３の従来の技術および第５の従来の技術は、１回分の所定時間の録音しか通話中に相手に送出することができないという問題がある。第４の従来の技術は、オンフック状態でスピーカまたは受話器でその内容を聴くためのものであり、通話中に再生して相手に送出することができないという問題がある。
【００１１】
第６の従来の技術は、着信時にフックスイッチがオフになってから所定時間の通話、および録音キーが押下されてから停止キーが押下されるまでの通話を複数録音することはできるが、再生は非通信時に行われるので、通話中に再生して相手に送出することはできないという問題がある。
【００１２】
本発明の目的は、通話中に録音した録音時間に制限のない複数の録音を、人手によって選択することなく、通話中に再生して相手に送信することができる電話装置を提供することである。
【課題を解決するための手段】
【００１３】
本発明は、相手方電話装置との通話情報を録音する録音手段と、
録音手段によって録音された通話情報を再生する再生手段と、
通話の録音を指示するための録音指示情報、録音の停止を指示するための停止指示情報、および通話情報の再生を指示するための再生指示情報を入力する入力手段と、
相手方電話装置に通話情報を送信する送信手段と、
通話情報を音に変換して出力する出力手段と、
制御手段であって、
相手方電話装置と回線が接続されてから回線が切断されるまでの通話期間に、入力手段によって録音指示情報が入力されてから停止指示情報が入力されるまでの期間毎の通話情報を録音手段によって録音させ、
前記通話期間に入力手段によって再生指示情報が入力されたとき、録音手段によって録音された通話情報のうち予め定める再生条件に合致する通話情報を再生手段によって再生させ、再生手段によって再生された通話情報を、送信手段によって相手方電話装置に送信させるとともに出力手段によって出力させる制御手段とを含むことを特徴とする電話装置である。
【００１４】
本発明に従えば、録音手段によって、相手方電話装置との通話情報が録音され、再生手段によって、録音手段によって録音された通話情報が再生され、入力手段によって、通話の録音を指示するための録音指示情報、録音の停止を指示するための停止指示情報、および通話情報の再生を指示するための再生指示情報が入力され、送信手段によって、相手方電話装置に通話情報が送信され、出力手段によって、通話情報が音に変換して出力される。さらに、制御手段によって、相手方電話装置と回線が接続されてから回線が切断されるまでの通話期間に、入力手段によって録音指示情報が入力されてから停止指示情報が入力されるまでの期間毎の通話情報が録音手段によって録音され、前記通話期間に入力手段によって再生指示情報が入力されたとき、録音手段によって録音された通話情報のうち予め定める再生条件に合致する通話情報が再生手段によって再生され、再生手段によって再生された通話情報が、送信手段によって相手方電話装置に送信されるとともに出力手段によって出力されるので、通話中に録音した録音時間に制限のない複数の録音のうち再生条件に合致する録音を、人手によって選択することなく、通話中に再生して相手に送信することができる。
【００１５】
また本発明は、前記予め定める再生条件は、前記入力手段によって再生指示情報が入力された通話期間の中で、その再生指示情報が入力されたときまでに前記録音手段によって録音された通話情報であるという条件であることを特徴とする。
【００１６】
本発明に従えば、予め定める再生条件は、入力手段によって再生指示情報が入力された通話期間の中で、その再生指示情報が入力されたときまでに録音手段によって録音された通話情報であるという条件であるので、人手による選択を行わなくても、同じ通話期間に録音した通話を再生することができる。
【００１７】
また本発明は、前記予め定める再生条件は、前記入力手段によって再生指示情報が入力された通話期間の中で、その再生指示情報が入力されたときまでに前記録音手段によって録音された通話情報がない場合は、その通話期間よりも前に録音手段によって録音された通話情報であるという条件であることを特徴とする。
【００１８】
本発明に従えば、予め定める再生条件は、入力手段によって再生指示情報が入力された通話期間の中で、その再生指示情報が入力されたときまでに録音手段によって録音された通話情報がない場合は、その通話期間よりも前に録音手段によって録音された通話情報であるという条件であるので、人手による選択を行わなくても、過去に録音した通話を再生することができる。
【００１９】
また本発明は、相手方電話装置を識別するための相手方識別情報を、前記録音手段によって録音された通話情報と関連付けて記憶する記憶手段をさらに含み、
前記制御手段は、相手方電話装置と回線が接続されてから回線が切断されるまでの通話期間に、前記入力手段によって録音指示情報が入力されてから停止指示情報が入力されるまでの期間毎の通話情報を録音手段によって録音させる際、その相手方電話装置の相手方識別情報をその通話情報と関連付けて記憶手段によって記憶させ、
前記予め定める再生条件は、記憶手段に記憶された相手方識別情報のうち回線が接続されている相手方電話装置の相手方識別情報と同じ相手方識別情報に関連付けられた通話情報であるという条件であることを特徴とする。
【００２０】
本発明に従えば、記憶手段によって、相手方電話装置を識別するための相手方識別情報が、録音手段によって録音された通話情報と関連付けて記憶され、制御手段によって、相手方電話装置と回線が接続されてから回線が切断されるまでの通話期間に、入力手段によって録音指示情報が入力されてから停止指示情報が入力されるまでの期間毎の通話情報を録音手段によって録音させる際、その相手方電話装置の相手方識別情報がその通話情報と関連付けて記憶手段によって記憶される。さらに、予め定める再生条件は、記憶手段に記憶された相手方識別情報のうち回線が接続されている相手方電話装置の相手方識別情報と同じ相手方識別情報に関連付けられた通話情報であるという条件であるので、同じ通話相手の録音を再生することができる。
【００２１】
また本発明は、前記相手方識別情報は、相手方電話装置の電話番号であることを特徴とする。
【００２２】
本発明に従えば、相手方識別情報は、相手方電話装置の電話番号であるので、こちらから電話をかける場合は、入力した電話番号と同じ電話番号、そして相手からの電話である場合は、電話番号通知機能によって通知された電話番号と同じ電話番号に関連付けられた通話情報を再生することできる。
【発明の効果】
【００２３】
本発明によれば、通話中に録音した録音時間に制限のない複数の録音のうち再生条件に合致する録音を、人手によって選択することなく、通話中に再生して相手に送信することができるので、録音された通話内容を引用したい場合、あるいは通話者双方の記憶があいまいで明確にしたい場合に、再生条件に合致する録音を自動的に再生して、録音された会話を双方で確認することができる。
【００２４】
また本発明によれば、人手による選択を行わなくても、同じ通話期間に録音した通話を再生することができるので、現在通話中の相手との会話を簡単に再生することができ、たとえば、いたずら電話などの相手の言葉を再生して送信することができ、いたずら電話撃退に効果がある。
【００２５】
また本発明によれば、人手による選択を行わなくても、過去に録音した通話を再生することができるので、過去の通話内容を第三者に聞かせることができる。
【００２６】
また本発明によれば、同じ通話相手の録音を再生することができるので、他の人との通話の録音を聞かれないようにすることができる。
【００２７】
また本発明によれば、こちらから電話をかける場合は、入力した電話番号と同じ電話番号、そして相手からの電話である場合は、電話番号通知機能によって通知された電話番号と同じ電話番号に関連付けられた通話情報を再生することできるので、ユーザは、録音を選択するための通話先識別情報つまり電話番号を入力しなくても、通話相手と行った通話の録音を自動的に再生して相手方に聞かせることができる。
【発明を実施するための最良の形態】
【００２８】
図１は、本発明の実施の一形態である電話機１の概略の構成を模式的に示す。電話装置である電話機１は、制御装置１１、網制御装置１２、ハンドセット１３、録音再生装置１４、音声記憶装置１５、および入力装置１６を含む。
【００２９】
制御装置１１は、たとえばＣＰＵ（Central Processing Unit）などの中央処理装置および半導体メモリなどの記憶装置によって構成され、中央処理装置が記憶装置に記憶されるプログラムを実行することによって、網制御装置１２、ハンドセット１３、録音再生装置１４、および入力装置１６を制御する。網制御装置１２は、たとえばアナログスイッチおよびミキシング部によって構成され、網つまり電話回線網を介して電話交換局と接続され、電話機１と電話交換局との通信を制御し、通話情報を送受信する。ハンドセット１３は、利用者が通話するための送受話器であり、マイクとスピーカとを含む。送受話器は、必ずしもハンドセット１３である必要はなく、たとえばスピーカホンなどマイクとスピーカとを有するものであればよい。ユーザがハンドセット１３によって通話を行うと、その通話の通話情報が網制御装置１２によって相手方電話機と送受信される。
【００３０】
録音再生装置１４は、通話を録音および再生する装置である。録音の場合、制御装置１１を介して、網制御装置１２およびハンドセット１３から送られてくる通話情報を音声記憶装置１５に書き込み記憶させる。再生の場合、音声記憶装置１５に記憶される通話情報を読み出して再生し制御装置１１を介して、網制御装置１２あるいはハンドセット１３に送る。
【００３１】
音声記憶装置１５は、たとえば半導体メモリ、ハードディスク装置、あるいは磁気テープ装置などの記憶装置によって構成され、録音再生装置１４から指示される情報を記憶する。入力装置１６は、たとえば操作パネルによって構成され、通話の録音を指示する録音ボタン１６１、録音の再生を指示する再生ボタン１６２、および記号「＊」および「＃」ならびに数字を入力する操作ボタン群１６３を含む。録音中でないときに録音ボタン１６１を押すと、録音が開始され、録音中に録音ボタン１６１を押すと、録音が停止する。再生ボタン１６２を押すと、録音された通話情報のうち予め定める再生条件に合致する通話情報が再生される。入力装置１６は、各ボタンによって入力された情報を制御装置１１に送る。
【００３２】
図２は、図１に示した電話機１が処理する同じ通話期間での録音再生処理を示すフローチャートである。相手方電話機と回線が接続されると、すなわち網制御装置１２によって回線が接続されたことが制御装置１１に知らされると、ステップＡ１に移る。
【００３３】
ステップＡ１では、録音件数ｎを記憶する。すなわち制御装置１１は、すでに録音されている件数を録音再生装置１４に問い合わせる。録音再生装置１４は、音声記憶装置１５に記憶される後述する録音管理情報から録音件数ｎを生成し、制御装置１１に知らせる。制御装置１１は、録音再生装置１４から知らされた録音件数ｎを制御装置１１内の記憶装置に記憶する。
【００３４】
ステップＡ２では、録音操作があったか否かを判定する。すなわち制御装置１１は、録音中でない場合に入力装置１６から録音ボタン１６１が操作されたことを示す情報たとえば録音指示情報を受け取っていると、録音操作があったと判定し、ステップＡ５に進む。録音指示情報を受け取っていないと、録音操作がないと判定し、ステップＡ３に進む。ステップＡ３では、再生操作があったか否かを判定する。すなわち制御装置１１は、入力装置１６から再生ボタン１６２が操作されたことを示す情報たとえば再生指示情報を受け取っていると、再生操作があったと判定し、ステップＡ６に進む。再生指示情報を受け取っていないと、再生操作がないと判定し、ステップＡ４に進む。ステップＡ４では、通話が終了したか否かを判定する。すなわち制御装置１１は、網制御装置１２から回線の切断が知らされていると、通話が終了したと判定し、終了する。回線の切断が知らされていないと、通話が終了していないと判定し、ステップＡ２に戻る。
【００３５】
ステップＡ５では、録音を行う。すなわち制御装置１１は、録音再生装置１４に録音を指示し、録音再生装置１４によって通話情報を録音つまり記憶させる。録音再生装置１４は、網制御装置１２およびハンドセット１３からの通話情報を音声記憶装置１５に記憶するとともに、後述する録音管理情報を更新する。録音管理情報を更新すると、録音件数ｎは１つ増える。制御装置１１は、録音中である場合に入力装置１６から録音ボタン１６１が操作されたことを示す情報たとえば停止指示情報を受け取ると、録音再生装置１４に録音の停止を指示して、ステップＡ３に進む。ステップＡ６では、「ｎ＋１」件目から再生する。すなわち制御装置１１は、音声記憶装置１５に記憶されている通話情報（以下「通話情報」のことを「録音」ともいう）のうち、「ｎ＋１」件目の録音から再生するように、録音再生装置１４に指示する。録音再生装置１４は、「ｎ＋１」件目の録音から最後の録音まで再生する。再生された録音は、網制御装置１２によって相手方電話機に送信されるとともに、ハンドセット１３によって出力される。最後の録音の再生が終了すると、ステップＡ４に進む。
【００３６】
図３は、図１に示した音声記憶装置１５に記憶される録音管理情報の例を示す。録音管理情報は、音声記憶装置１５に記憶される通話情報つまり録音を管理するための情報であり、「Ｎｏ」、「日時」、および「音声」の３つの項目を含む。「Ｎｏ」は、録音された順番を示す番号であり、「日時」は、録音された日時たとえば録音を開始した時点の日時であり、「音声」は、録音を識別するための録音識別情報である。
【００３７】
図３（ａ）は、回線に接続された時点の録音管理情報の一例を示している。図３（ａ）に示した録音管理情報には、２つの通話情報つまり録音が管理されている。Ｎｏ「１」は、日時が「２００５年１０月２日１３：２０」であり、音声が「音声０１」である。Ｎｏ「２」は、日時が「２００５年１０月２日１５：３０」であり、音声が「音声０２」である。図３（ａ）の録音管理情報は、２つの通話情報が音声記憶装置１５に記憶されていること、つまり２つの録音が行われていることを示している。
【００３８】
図３（ｂ）は、図３（ａ）の録音管理情報が示す状態に対して、新たに１つの通話情報が記憶された録音管理情報の一例を示している。すなわちＮｏ「３」の録音管理情報が追加されている。Ｎｏ「３」は、日時が「２００５年１０月３日１１：１０」であり、音声が「音声０３」である。
【００３９】
このように、録音手段であるたとえば録音再生装置１４によって、相手方電話装置つまり相手方電話機との通話情報が録音され、再生手段であるたとえば録音再生装置１４によって、録音手段によって録音された通話情報が再生され、入力手段であるたとえば入力装置１６によって、通話の録音を指示するための録音指示情報、録音の停止を指示するための停止指示情報、および通話情報の再生を指示するための再生指示情報が入力され、送信手段であるたとえば網制御装置１２によって、相手方電話装置に通話情報が送信され、出力手段であるたとえばハンドセット１３によって、通話情報が音に変換して出力される。さらに、制御手段であるたとえば制御装置１１によって、相手方電話装置と回線が接続されてから回線が切断されるまでの通話期間に、入力手段によって録音指示情報が入力されてから停止指示情報が入力されるまでの期間毎の通話情報が録音手段によって録音され、前記通話期間に入力手段によって再生指示情報が入力されたとき、録音手段によって録音された通話情報のうち予め定める再生条件に合致する通話情報が再生手段によって再生され、再生手段によって再生された通話情報が、送信手段によって相手方電話装置に送信されるとともに出力手段によって出力されるので、通話中に録音した録音時間に制限のない複数の録音のうち再生条件に合致する録音を、人手によって選択することなく、通話中に再生して相手に送信することができる。したがって、録音された通話内容を引用したい場合、あるいは通話者双方の記憶があいまいで明確にしたい場合に、再生条件に合致する録音を自動的に再生して、録音された会話を双方で確認することができる。
【００４０】
さらに、予め定める再生条件は、入力手段であるたとえば入力装置１６によって再生指示情報が入力された通話期間の中で、その再生指示情報が入力されたときまでに録音手段であるたとえば録音再生装置１４によって録音された通話情報であるという条件であるので、人手による選択を行わなくても、同じ通話期間に録音した通話を再生することができる。したがって、現在通話中の相手との会話を簡単に再生することができ、たとえば、いたずら電話などの相手の言葉を再生して送信することができ、いたずら電話撃退に効果がある。
【００４１】
図４は、図１に示した電話機１が処理する複数の通話期間に係る録音再生処理を示すフローチャートである。相手方電話機と回線が接続されると、すなわち網制御装置１２によって回線が接続されたことが制御装置１１に知らされると、ステップＢ１に移る。ステップＢ１〜ステップＢ５は、それぞれ図２に示したステップＡ１〜ステップＡ５と同じであり、説明は重複を避けるため省略する。
【００４２】
ステップＢ６では、「ｎ＋１」件目があるか否かを判定する。すなわち制御装置１１は、「ｎ＋１」件目が録音されているか否かを、録音再生装置１４に問い合わせる。録音再生装置１４は、音声記憶装置１５に記憶されている録音管理情報に基づいて、「ｎ＋１」件目が録音されているか否かを判定し、判定結果を制御装置１１に送る。制御装置１１は、録音再生装置１４から受け取った判定結果に基づいて、「ｎ＋１」件目が録音されているか否か判定する。「ｎ＋１」件目があると、ステップＢ７に進み、「ｎ＋１」件目がないと、ステップＢ８に進む。
【００４３】
ステップＢ７は、図２に示したステップＡ６と同じであり、説明は重複を避けるため省略する。ステップＢ８では、１件目から再生する。すなわち制御装置１１は、音声記憶装置１５に記憶されている録音のうち、１件目の録音から再生するように、録音再生装置１４に指示する。録音再生装置１４は、１件目の録音から最後つまりｎ件目の録音まで再生する。再生された録音は、網制御装置１２によって相手方電話機に送信されるとともに、ハンドセット１３によって出力される。最後の録音の再生が終了すると、ステップＢ４に進む。
【００４４】
このように、予め定める再生条件は、入力手段であるたとえば入力装置１６によって再生指示情報が入力された通話期間の中で、その再生指示情報が入力されたときまでに録音手段であるたとえば録音再生装置１４によって録音された通話情報がない場合は、その通話期間よりも前に録音手段によって録音された通話情報であるという条件であるので、人手による選択を行わなくても、過去に録音した通話を再生することができる。したがって、過去の通話内容を第三者に聞かせることができる。
【００４５】
図５は、図１に示した電話機１が処理する電話番号を用いた録音再生処理を示すフローチャートである。相手方電話機と回線が接続されると、すなわち網制御装置１２によって回線が接続されたことが制御装置１１に知らされると、ステップＣ１に移る。
【００４６】
ステップＣ１では、通話中の相手番号Ａを記憶する。すなわち制御装置１１は、相手先電話機の電話番号を制御装置１１内の記憶装置に記憶する。電話番号は、こちらから電話をかけた場合は、入力した電話番号と同じ電話番号、そして相手からの電話である場合は、電話番号通知機能によって通知された電話番号と同じ電話番号である。
【００４７】
ステップＣ２では、再生操作があったか否かを判定する。すなわち制御装置１１は、入力装置１６から再生ボタン１６２が操作されたことを示す情報たとえば再生指示情報を受け取っていると、再生操作があったと判定し、ステップＣ５に進む。再生指示情報を受け取っていないと、再生操作がないと判定し、ステップＣ３に進む。ステップＣ３およびステップＣ４は、それぞれ図２に示したステップＡ２およびステップＡ４と同じであり、説明は重複を避けるため省略する。
【００４８】
ステップＣ５では、ｎ＝「１」とする。すなわち制御装置１１は、再生する録音を検索するためのカウンタｎを初期値「１」に設定する。ステップＣ６では、ｎ件目の録音があるか否かを判定する。すなわち制御装置１１は、ｎ件目の録音があるか否かを、録音再生装置１４に問い合わせる。録音再生装置１４は、音声記憶装置１５に記憶されている録音管理情報に基づいて、ｎ件目が録音されているか否かを判定し、判定結果を制御装置１１に送る。制御装置１１は、録音再生装置１４から受け取った判定結果に基づいて、ｎ件目が録音されているか否かを判定する。ｎ件目があると、ステップＣ７に進み、ｎ件目がないと、ステップＣ３に進む。
【００４９】
ステップＣ７では、ｎ件目の相手番号がＡか否かを判定する。すなわち制御装置１１は、ｎ件目の録音の相手先電話機の電話番号を、録音再生装置１４に問い合わせる。録音再生装置１４は、音声記憶装置１５に記憶されている録音管理情報すなわち図６で後述する録音管理情報から、ｎ件目の録音の相手先電話機の電話番号を抽出し、抽出した電話番号を制御装置１１に送る。制御装置１１は、録音再生装置１４から受け取った電話番号が、ステップＣ１で記憶した電話番号Ａと同じであるか否かを判定する。録音再生装置１４から受け取った電話番号がステップＣ１で記憶した電話番号Ａと同じであると、ステップＣ８に進み、録音再生装置１４から受け取った電話番号がステップＣ１で記憶した電話番号Ａと同じでないと、ステップＣ９に進む。
【００５０】
ステップＣ８では、ｎ件目の再生を行う。すなわち制御装置１１は、ｎ件目の録音の再生を、録音再生装置１４に指示する。録音再生装置１４は、音声記憶装置１５に記憶されているｎ件目の録音つまり通話情報を再生する。再生された録音は、網制御装置１２によって相手方電話機に送信されるとともに、ハンドセット１３によって出力される。再生が終了すると、ステップＣ９に進む。ステップＣ９では、ｎ＝「ｎ＋１」とし、ステップＣ６に戻る。すなわち制御装置１１は、カウンタｎを１つ更新して、ステップＣ６に戻る。
【００５１】
ステップＣ１０では、録音を行う。すなわち制御装置１１は、録音再生装置１４に録音を指示し、録音再生装置１４によって通話情報を録音つまり記憶させる。その際、相手先電話機の電話番号、たとえば通話中の相手番号Ａを録音再生装置１４に送り、通話情報と関連付けて記憶するように指示する。録音再生装置１４は、網制御装置１２およびハンドセット１３からの通話情報を、制御装置１１から受け取った電話番号と関連付けて、その電話番号とともに音声記憶装置１５に記憶し、図６で後述する録音管理情報を更新する。録音管理情報を更新すると、録音件数ｎは１つ増える。制御装置１１は、録音中である場合に入力装置１６から録音ボタン１６１が操作されたことを示す情報たとえば停止指示情報を受け取ると、録音再生装置１４に録音の停止を指示して、ステップＣ４に進む。
【００５２】
図６は、図１に示した音声記憶装置１５に記憶される録音管理情報の他の例を示す。図６に示した録音管理情報は、「Ｎｏ」、「日時」、および「音声」の他に「相手番号」の項目を含む。「相手番号」は、録音された通話情報の相手先電話機の電話番号である。図６に示した録音管理情報は、図３（ｂ）に示した録音管理情報に「相手番号」の項目を追加したものである。Ｎｏ「１」およびＮｏ「２」の相手番号は、「０１２３４５６７８９」であり、Ｎｏ「３」の相手番号は、「０９８７６５４３２１」である。
【００５３】
このように、記憶手段であるたとえば音声記憶装置１５によって、相手方電話装置つまり相手方電話機を識別するための相手方識別情報が、録音手段であるたとえば録音再生装置１４によって録音された通話情報と関連付けて記憶され、制御手段であるたとえば制御装置１１によって、相手方電話装置と回線が接続されてから回線が切断されるまでの通話期間に、入力手段であるたとえば入力装置１６によって録音指示情報が入力されてから停止指示情報が入力されるまでの期間毎の通話情報を録音手段によって録音させる際、その相手方電話装置の相手方識別情報がその通話情報と関連付けて記憶手段によって記憶される。さらに、予め定める再生条件は、記憶手段に記憶された相手方識別情報のうち回線が接続されている相手方電話装置の相手方識別情報と同じ相手方識別情報に関連付けられた通話情報であるという条件であるので、同じ通話相手の録音を再生することができる。したがって、他の人との通話の録音を聞かれないようにすることができる。
【００５４】
さらに、相手方識別情報は、相手方電話装置つまり相手方電話機の電話番号であるので、こちらから電話をかける場合は、入力した電話番号と同じ電話番号、そして相手からの電話である場合は、電話番号通知機能によって通知された電話番号と同じ電話番号に関連付けられた通話情報を再生することできる。したがって、ユーザは、録音を選択するための通話先識別情報つまり電話番号を入力しなくても、通話相手と行った通話の録音を自動的に再生して相手方に聞かせることができる。
ので、こちらから電話をかける場合は、入力した電話番号と同じ電話番号、そして相手からの電話である場合は、電話番号通知機能によって通知された電話番号と同じ電話番号に関連付けられた通話情報を再生することできる。したがって、ユーザは、録音を選択するための通話先識別情報つまり電話番号を入力しなくても、通話相手と行った通話の録音を自動的に再生して相手方に聞かせることができる。
【図面の簡単な説明】
【００５５】
【図１】本発明の実施の一形態である電話機１の概略の構成を模式的に示す。
【図２】図１に示した電話機１が処理する同じ通話期間での録音再生処理を示すフローチャートである。
【図３】図１に示した音声記憶装置１５に記憶される録音管理情報の例を示す。
【図４】図１に示した電話機１が処理する複数の通話期間に係る録音再生処理を示すフローチャートである。
【図５】図１に示した電話機１が処理する電話番号を用いた録音再生処理を示すフローチャートである。
【図６】図１に示した音声記憶装置１５に記憶される録音管理情報の他の例を示す。
【符号の説明】
【００５６】
１  電話機
１１  制御装置
１２  網制御装置
１３  ハンドセット
１４  録音再生装置
１５  音声記憶装置
１６  入力装置
１６１  録音ボタン
１６２  再生ボタン
１６３  操作ボタン群
【図１】
2007318570.tif 000003
【図２】
2007318570.tif 000004
【図３】
2007318570.tif 000005
【図４】
2007318570.tif 000006
【図５】
2007318570.tif 000007
【図６】
2007318570.tif 000008